(57)【特許請求の範囲】
【請求項１】
集合住宅のエントランスに設置される集合玄関機（１）と、前記集合住宅の各住戸内にそれぞれ設置され前記集合玄関機から呼び出されて通話を成立させるための居室親機（２ａ、２ｂ、・・・）と、前記集合玄関機および前記居室親機をそれぞれ制御するための制御機（６）とを設け、
前記居室親機は、施工業者の設定内容を記録するための施工業者設定メモリ(２０３)と、居住者の設定内容を記憶するための居住者設定メモリ(２０４)とを有し、
前記居室親機は、前記施工業者設定メモリの設定内容および前記居住者設定メモリの設定内容を一括で初期化するための全設定内容初期化機能（２００、２０１、２０５）と、前記居住者設定メモリの設定内容のみを初期化するための居住者設定内容初期化機能（２００、２０１、２０５）とを備えることを特徴とする集合住宅インターホンシステム。
【請求項２】
集合住宅のエントランスに設置される集合玄関機（１）と、前記集合住宅の各住戸内にそれぞれ設置され前記集合玄関機から呼び出されて通話を成立させるための居室親機（２ａ、２ｂ、・・・）と、管理室内に設置され前記集合玄関機、前記居室親機からそれぞれ呼び出され、または前記居室親機を呼び出して通話を成立させるための管理室親機（３）と、前記集合玄関機、前記居室親機および前記管理室親機をそれぞれ制御するための制御機（６）とを設け、
前記居室親機は、施工業者の設定内容を記録するための施工業者設定メモリ(２０３)と、居住者の設定内容を記憶するための居住者設定メモリ(２０４)とを有し、
前記管理室親機は、前記施工業者設定メモリの設定内容および前記居住者設定メモリの設定内容を一括で初期化するための全設定内容初期化機能（３００、３０１、３０３）と、前記居住者設定メモリの設定内容のみを初期化するための居住者設定内容初期化機能（３００、３０１、３０３）とを備えることを特徴とする集合住宅インターホンシステム。
【請求項３】
集合住宅のエントランスに設置される集合玄関機（１）と、前記集合住宅の各住戸内にそれぞれ設置され前記集合玄関機から呼び出されて通話を成立させるための居室親機（２ａ、２ｂ、・・・）と、前記集合玄関機および前記居室親機をそれぞれ制御するための制御機（６）とを設け、
前記居室親機は、施工業者の設定内容を記録するための施工業者設定メモリ(２０３)と、居住者の設定内容を記憶するための居住者設定メモリ(２０４)とを有し、
前記集合玄関機は、前記施工業者設定メモリの設定内容および前記居住者設定メモリの設定内容を一括で初期化するための全設定内容初期化機能（１００、１０１、１０３）と、前記居住者設定メモリの設定内容のみを初期化するための居住者設定内容初期化機能（１００、１０１、１０３）とを備えることを特徴とする集合住宅インターホンシステム。
【請求項４】
集合住宅のエントランスに設置される集合玄関機（１）と、前記集合住宅の各住戸内にそれぞれ設置され前記集合玄関機から呼び出されて通話を成立させるための居室親機（２ａ、２ｂ、・・・）と、前記集合玄関機および前記居室親機をそれぞれ制御するための制御機（６）と、一般公衆回線等の外部ネットワーク(５)を経由して前記制御機との間で通信を行う外部機器（４)とを設け、
前記居室親機は、施工業者の設定内容を記録するための施工業者設定メモリ（２０３)と、居住者の設定内容を記憶するための居住者設定メモリ(２０４)とを有し、
前記制御機は、前記外部機器から少なくとも１つの前記居室親機の住戸を指定して、前記施工業者設定メモリの設定内容および前記居住者設定メモリの設定内容を一括で初期化するための全設定内容初期化機能（６００）と、前記居住者設定メモリの設定内容のみを初期化するための居住者設定内容初期化機能（６００）とを備えることを特徴とする集合住宅インターホンシステム。
【請求項５】
前記施工業者設定メモリおよび前記居住者設定メモリは、前記居室親機に代わって、前記制御機に設けられることを特徴とする請求項１乃至請求項４のうち何れか１項記載の集合住宅インターホンシステム。
【発明の詳細な説明】
【技術分野】
【０００１】
本発明は、マンション等の集合住宅に設置されるインターホンシステムに係り、特に、以前の居住者が退去して新たな居住者が転居した場合等における設定内容の初期化機能が備えられた集合住宅インターホンシステムに関する。
【背景技術】
【０００２】
従来から、この種の集合住宅インターホンシステムとして、集合住宅の中央に設置された制御装置に各住戸に設置された端末機器を接続し、制御装置において各端末機器を管理し、さらには、各端末機器に記憶した機能設定データが確認できるようにした集合住宅管理システムが開示されている（例えば、特許文献１を参照。）。
【０００３】
この集合住宅管理システムにおいて、制御装置である警報監視盤は、端末機器である住戸情報盤の各々に、機能設定要求信号を送信し、これに対して返信される機能設定データと、制御装置に記憶されたその端末機器の機能設定データとを比較して、端末機器の機能設定データを確認する。また、制御装置は、特定の端末機器または全ての端末機器を指定した機能設定信号を送信できるので、システムを新規に導入したとき等では、一斉アドレス指定によって、容易に各住戸の端末機器に機能設定データを登録することができる。
【０００４】
【特許文献１】特開２００１−１４８０８５号公報（段落番号「００１３」乃至「００３１」、第１図乃至第６図）
【発明の開示】
【発明が解決しようとする課題】
【０００５】
背景技術に記載した特許文献１の集合住宅管理システムによれば、各住戸の端末機器に登録される機能設定データは、制御装置の制御によって容易に初期化することができる。しかしながら、機能設定データには、居住者が入れ替わっても変更の必要がない施工業者の設定内容と居住者によって容易に変更が可能な居住者の設定内容とが含まれており、以前の居住者が退去して新たな居住者が転居してきた場合等には、住戸毎に予め登録されている全ての設定データが初期化されるため、初期化の必要がない施工業者の設定内容まで初期化され、施工業者による再度の設定が必要となり煩雑さを有していた。
【０００６】
本発明は、この難点を解消するためになされたもので、施工業者の設定内容や居住者の設定内容の初期化を行うにあたり、施工業者の設定内容は初期化せずに居住者の設定内容のみを容易に初期化することができる集合住宅インターホンシステムを提供することを目的としている。
【課題を解決するための手段】
【０００７】
前述の目的を達成するため、本発明の第１の態様である集合住宅インターホンシステムは、集合住宅のエントランスに設置される集合玄関機と、集合住宅の各住戸内にそれぞれ設置され集合玄関機から呼び出されて通話を成立させるための居室親機と、集合玄関機および居室親機をそれぞれ制御するための制御機とを設けたものである。居室親機は、施工業者の設定内容を記録するための施工業者設定メモリと、居住者の設定内容を記憶するための居住者設定メモリとを有するものである。居室親機は、施工業者設定メモリの設定内容および居住者設定メモリの設定内容を一括で初期化するための全設定内容初期化機能と、居住者設定メモリの設定内容のみを初期化するための居住者設定内容初期化機能とを備えたものである。
【０００８】
また、本発明の第２の態様である集合住宅インターホンシステムは、集合住宅のエントランスに設置される集合玄関機と、集合住宅の各住戸内にそれぞれ設置され集合玄関機から呼び出されて通話を成立させるための居室親機と、管理室内に設置され集合玄関機、居室親機からそれぞれ呼び出され、または居室親機を呼び出して通話を成立させるための管理室親機と、集合玄関機、居室親機および管理室親機をそれぞれ制御するための制御機とを設けたものである。居室親機は、施工業者の設定内容を記録するための施工業者設定メモリと、居住者の設定内容を記憶するための居住者設定メモリとを有するものである。管理室親機は、施工業者設定メモリの設定内容および居住者設定メモリの設定内容を一括で初期化するための全設定内容初期化機能と、居住者設定メモリの設定内容のみを初期化するための居住者設定内容初期化機能とを備えたものである。
【０００９】
また、本発明の第３の態様である集合住宅インターホンシステムは、集合住宅のエントランスに設置される集合玄関機と、集合住宅の各住戸内にそれぞれ設置され集合玄関機から呼び出されて通話を成立させるための居室親機と、集合玄関機および居室親機をそれぞれ制御するための制御機とを設けたものである。居室親機は、施工業者の設定内容を記録するための施工業者設定メモリと、居住者の設定内容を記憶するための居住者設定メモリとを有するものである。集合玄関機は、施工業者設定メモリの設定内容および居住者設定メモリの設定内容を一括で初期化するための全設定内容初期化機能と、居住者設定メモリの設定内容のみを初期化するための居住者設定内容初期化機能とを備えたものである。
【００１０】
また、本発明の第４の態様である集合住宅インターホンシステムは、集合住宅のエントランスに設置される集合玄関機と、集合住宅の各住戸内にそれぞれ設置され集合玄関機から呼び出されて通話を成立させるための居室親機と、集合玄関機および居室親機をそれぞれ制御するための制御機と、一般公衆回線等の外部ネットワークを経由して制御機との間で通信を行う外部機器とを設けたものである。居室親機は、施工業者の設定内容を記録するための施工業者設定メモリと、居住者の設定内容を記憶するための居住者設定メモリとを有するものである。制御機は、外部機器から少なくとも１つの居室親機の住戸を指定して、施工業者設定メモリの設定内容および居住者設定メモリの設定内容を一括で初期化するための全設定内容初期化機能と、居住者設定メモリの設定内容のみを初期化するための居住者設定内容初期化機能とを備えたものである。
【００１１】
また、本発明の第５の態様である集合住宅インターホンシステムは、本発明の第１の態様乃至第４の態様において、施工業者設定メモリおよび居住者設定メモリは、居室親機に代わって、制御機に設けられるものである。
【発明の効果】
【００１２】
本発明の集合住宅インターホンシステムによれば、居室親機の全設定内容初期化機能および居住者設定内容初期化機能、管理室親機の全設定内容初期化機能および居住者設定内容初期化機能、集合玄関機の全設定内容初期化機能および居住者設定内容初期化機能、外部ネットワークを経由して外部機器との間で通信を行う制御機の全設定内容初期化機能および居住者設定内容初期化機能のうち、何れかの全設定内容初期化機能を使用して、単一乃至複数の居室親機の施工業者設定メモリおよび居住者設定メモリにそれぞれ記憶されている設定内容を一括で容易に初期化することができる。また、何れかの居住者設定内容初期化機能を使用して、単一乃至複数の居室親機の居住者設定メモリに記憶されている設定内容のみを容易に初期化することができる。これにより、以前の居住者が退去して新たな居住者が転居してきた場合等において、初期化の必要がない施工業者の設定内容は保持したまま、居住者の設定内容のみを容易に初期化することができる。
【００１３】
また、本発明の集合住宅インターホンシステムによれば、施工業者設定メモリおよび居住者設定メモリを、居室親機に代わって制御機に備えることもできるため、簡易な構成でシステムの構築が可能となる。
【発明を実施するための最良の形態】
【００１４】
以下、本発明の集合住宅インターホンシステムを適用した最良の実施の形態例について、図面を参照して説明する。
【００１５】
図１は、本発明の実施例による集合住宅インターホンシステムの全体構成を示すシステム説明図である。
【００１６】
図１に示す集合住宅インターホンシステムは、マンション等の集合住宅において、エントランス（集合玄関と同意。）に設置される集合玄関機１と、複数の住戸の各住戸内にそれぞれ設置される居室親機２ａ、２ｂ、・・・と、管理室内に設置される管理室親機３と、施工業者や外出中の居住者により携行される携帯情報端末等の外部機器４と、一般公衆回線等の外部ネットワーク５と、玄関ラインＬ1を経由して接続された集合玄関機１、居室ラインＬ2を経由して接続（バス接続）された居室親機２ａ、２ｂ、・・・、管理室ラインＬ3を経由して接続された管理室親機３、外部ネットワーク５を経由して接続された外部機器４をそれぞれ制御するための制御機６とが設けられている。
【００１７】
また、集合玄関機１には、操作部（以下、玄関操作部という。）１００、表示部（以下、玄関表示部という。）１０１、通話部（以下、玄関通話部という。）１０２が備えられている。
【００１８】
この集合玄関機１において、玄関操作部１００は、エントランスに居る人物、例えば、来訪者が、特定の居住者または管理人を呼び出すための操作を行うとともに、居室親機２ａ、２ｂ、・・・の後述するメモリ２０３、２０４にそれぞれ記憶されている設定内容を初期化するための初期化機能のうち操作の機能を有している。また、玄関操作部１００としては、例えば、テンキーボタン、呼出ボタン等の各種の操作ボタンやタッチパネルが好適とされる。
【００１９】
玄関表示部１０１は、玄関操作部１００にて行われた操作情報や当該玄関機の動作状態、例えば、呼出状態である旨、通話状態である旨等を、文字メッセージや絵データ等で表示するとともに、居室親機２ａ、２ｂ、・・・の後述するメモリ２０３、２０４にそれぞれ記憶されている設定内容を初期化するための初期化機能のうち表示の機能を有している。この玄関表示部１０１としては、例えば、ＬＣＤ（Liquid Crystal Display）、有機ＥＬ（Electro Luminescence）ディスプレイ等の各種のモニタが好適とされる。
【００２０】
玄関通話部１０２は、来訪者が特定の居住者または管理人との間で通話を成立させるために音声（送話音声、受話音声）を入出力するものである。この玄関通話部１０２としては、例えば、マイクおよびスピーカが好適とされる。
【００２１】
また、居室親機２ａ、２ｂ、・・・はそれぞれ同様な構成であり、個別の居室番号（詳述せず。）が割り当てられている。この居室親機２ａ、２ｂ、・・・には、操作部（以下、居室操作部という。）２００、表示部（以下、居室表示部という。）２０１、通話部（以下、居室通話部という。）２０２が備えられている。
【００２２】
この居室親機２ａ、２ｂ、・・・において、居室操作部２００は、来訪者または管理人からの呼び出しを確認した居住者が応答操作を行うとともに、居住者が管理人を呼び出すための操作を行い、さらには、後述するメモリ２０３、２０４にそれぞれ記憶されている設定内容を初期化するための初期化機能のうち操作の機能を有している。また、居室操作部２００としては、例えば、呼出ボタン、通話ボタン等の各種の操作ボタンやタッチパネルが好適とされる。
【００２３】
居室表示部２０１は、居室操作部２００にて行われた操作情報や当該居室親機の動作状態、例えば、呼出状態である旨、通話状態である旨等を文字メッセージや絵データ等で表示するとともに、後述するメモリ２０３、２０４にそれぞれ記憶されている設定内容を初期化するための初期化機能のうち表示の機能を有している。この居室表示部２０１としては、例えば、ＬＣＤ、有機ＥＬディスプレイ等の各種のモニタが好適とされる。
【００２４】
居室通話部２０２は、来訪者または管理人からの呼び出し（一斉呼び出しを含む。）がある旨の呼出音や音声メッセージ等を放音するとともに、居住者が来訪者または管理人との間で通話を成立させるために音声（送話音声、受話音声）を入出力するものである。この居室通話部２０２としては、例えば、マイクおよびスピーカ、或いはスピーカおよびハンドセットが好適とされる。
【００２５】
さらに、管理室親機３は、管理室番号（詳述せず。）が割り当てられており、操作部（以下、管理室操作部という。）３００、表示部（以下、管理室表示部という。）３０１、通話部（以下、管理室通話部という。）３０２が備えられている。
【００２６】
この管理室親機３において、管理室操作部３００は、来訪者または特定の居住者からの呼び出しを確認した管理人が応答操作を行うとともに、管理人が特定の居住者への呼び出し、或いは一斉呼び出しを行い、さらには、居室親機２ａ、２ｂ、・・・の後述するメモリ２０３、２０４にそれぞれ記憶されている設定内容を初期化するための初期化機能のうち操作の機能を有している。また、管理室操作部３００としては、例えば、呼出ボタン（一斉呼出ボタンを含む。）、通話ボタン等の各種の操作ボタンやタッチパネルが好適とされる。
【００２７】
管理室表示部３０１は、管理室操作部３００にて行われた操作情報や当該管理室親機の動作状態、例えば、呼出状態である旨、通話状態である旨等を文字メッセージや絵データ等で表示するとともに、居室親機２ａ、２ｂ、・・・の後述するメモリ２０３、２０４にそれぞれ記憶されている設定内容を初期化するための初期化機能のうち表示の機能を有している。この管理室表示部３０１としては、例えば、ＬＣＤ、有機ＥＬディスプレイ等の各種のモニタが好適とされる。
【００２８】
管理室通話部３０２は、来訪者または特定の居住者からの呼び出しがある旨の呼出音や音声メッセージ等を放音するとともに、管理人が来訪者または特定の居住者との間で通話を成立させるために音声（送話音声、受話音声）を入出力するものである。この管理室通話部３０２としては、例えば、マイクおよびスピーカ、或いはスピーカおよびハンドセットが好適とされる。
【００２９】
図２は、本発明の実施例による集合住宅インターホンシステムの具体的な構成を示すブロック図である。
【００３０】
図２に示す集合住宅インターホンシステムにおいて、集合玄関機１には、前述の玄関操作部１００、玄関表示部１０１、玄関通話部１０２と、制御部（以下、玄関制御部という。）１０３と、データ送受信部（以下、玄関Ｉ／Ｆという。）１０４とが備えられている。
【００３１】
この集合玄関機１において、玄関制御部１０３は、当該集合玄関機の構成各部をそれぞれ制御するためのものであり、居室親機２ａ、２ｂ、・・・の後述するメモリ２０３、２０４にそれぞれ記憶されている設定内容を初期化するための初期化機能のうち制御の機能を有している。
【００３２】
玄関機Ｉ／Ｆ１０４は、玄関制御部１０３および玄関ラインＬ1の間の信号／データ伝送路を形成するためのものである。
【００３３】
また、居室親機２ａ、２ｂ、・・・には、前述の居室操作部２００、居室表示部２０１、居室通話部２０２と、施工業者設定メモリ２０３と、居住者設定メモリ２０４と、制御部（以下、居室制御部という。）２０５と、データ送受信部（以下、居室Ｉ／Ｆという。）２０６とが備えられている。
【００３４】
この居室親機２ａ、２ｂ、・・・において、施工業者設定メモリ２０３は、居住者が入れ替わっても変更の必要がない管理室親機３の名称、電気錠（図示せず。）の設定等の例えば、施工時における設定内容を記憶するためのものである。この施工業者設定メモリ２０３としては、ＲＡＭ（Random Access Memory）、ＥＥＰＲＯＭ（Electrically Erasable Programmable Read Only Memory）等の各種の記憶媒体が好適とされる。
【００３５】
居住者設定メモリ２０４は、居住者によって容易に変更可能である居室通話部２０２にて入出力される音声（送話音声、受話音声）の音量、防犯設定、留守設定等の設定内容を記憶するためのものである。この居住者設定メモリ２０４としては、ＲＡＭ、ＥＥＰＲＯＭ等の各種の記憶媒体が好適とされる。
【００３６】
居室制御部２０５は、当該居室親機の構成各部をそれぞれ制御するとともに、施工業者設定メモリ２０３、居住者設定メモリ２０４にそれぞれ記憶されている設定内容を初期化するための初期化機能（のうち制御の機能）を有している。
【００３７】
居室Ｉ／Ｆ２０６は、居室制御部２０５および居室ラインＬ2の間の信号／データ伝送路を形成するためのものである。
【００３８】
また、管理室親機３には、前述の管理室操作部３００、管理室表示部３０１、管理室通話部３０２と、制御部（以下、管理室制御部という。）３０３と、データ送受信部（以下、管理室Ｉ／Ｆという。）３０４とが備えられている。
【００３９】
この管理室親機３において、管理室制御部３０３は、当該管理室親機の構成各部をそれぞれ制御するとともに、居室親機２ａ、２ｂ、・・・の施工業者設定メモリ２０３、居住者設定メモリ２０４にそれぞれ記憶されている設定内容を初期化するための初期化機能のうち制御の機能を有している。
【００４０】
管理室Ｉ／Ｆ３０４は、管理室制御部３０３および管理室ラインＬ3の間の信号／データ伝送路を形成するためのものである。
【００４１】
さらに、制御機６には、制御部（以下、制御機制御部という。）６００と、第１のデータ送受信部（以下、玄関側制御機Ｉ／Ｆという。）６０１と、第２のデータ送受信部（以下、居室側制御機Ｉ／Ｆという。）６０２と、第３のデータ送受信部（以下、管理室側制御機Ｉ／Ｆという。）６０３と、第４のデータ送受信部（以下、外部側制御機Ｉ／Ｆという。）６０４とが備えられている。
【００４２】
この制御機６において、制御機制御部６００は、当該制御機の構成各部および当該システム全体を制御するとともに、居室親機２ａ、２ｂ、・・・の施工業者設定メモリ２０３、居住者設定メモリ２０４にそれぞれ記憶されている設定内容を初期化するための初期化機能を有している。
【００４３】
玄関側制御機Ｉ／Ｆ６０１は、制御機制御部６００および玄関ラインＬ1の間の信号／データ伝送路を形成するためのものである。
【００４４】
居室側制御機Ｉ／Ｆ６０２は、制御機制御部６００および居室ラインＬ2の間の信号／データ伝送路を形成するためのものである。
【００４５】
管理室側制御機Ｉ／Ｆ６０３は、制御機制御部６００および管理室ラインＬ3の間の信号／データ伝送路を形成するためのものである。
【００４６】
外部側制御機Ｉ／Ｆ６０４は、制御機制御部６００および外部ネットワーク５の間の信号／データ伝送路を形成するためのものである。
【００４７】
このように構成された本発明の実施例による集合住宅インターホンシステムにおいて、以下、具体的な動作について説明する。
【００４８】
なお、本発明の実施例において、来訪者が特定の居住者または管理人を呼び出して通話を成立させるための動作と、特定の居住者が管理人を呼び出して通話を成立させるための動作と、管理人が特定の居住者を呼び出して通話を成立させるための動作と、管理人が一斉放送を行うための動作とは、それぞれ背景技術に記載した集合住宅管理システム等の集合住宅インターホンシステムにおいて公知の技術であるため、これらの動作説明は省略するものとする。
【００４９】
当該集合住宅インターホンシステムの施工業者は、居住者が入れ替わっても変更の必要がない管理室親機３の名称、電気錠（図示せず。）の設定等を行うにあたって、例えば、施工時に集合玄関機１の玄関操作部１００を使用して、単一乃至複数の居室番号を指定するような所定の設定操作を行う。ここでは、全ての住戸の居室番号を指定したものと仮定する。この操作を検出した玄関制御部１０３は、玄関操作部１００にて行われた設定内容を玄関表示部１０１に表示するとともに、設定内容を付加させた設定内容信号（以下、施工業者設定内容信号という。）を生成する。また、玄関制御部１０３にて生成された施工業者設定内容信号は、玄関Ｉ／Ｆ１０４、玄関ラインＬ1、制御機６の玄関側制御機Ｉ／Ｆ６０１を経由して制御機制御部６００に伝送される。
【００５０】
制御機６の制御機制御部６００は、集合玄関機１から伝送されてきた施工業者設定内容信号に全ての居室番号を付加させた後、居室側制御機Ｉ／Ｆ６０２、居室ラインＬ2、全ての居室親機２ａ、２ｂ、・・・の居室Ｉ／Ｆ２０６を経由して居室制御部２０５にそれぞれ送出する。
【００５１】
全ての居室親機２ａ、２ｂ、・・・の居室制御部２０５は、制御機６から伝送されてきた施工業者設定内容信号に付加されている居室番号と自居室親機に割り当てられている居室番号とをそれぞれ照合する。ここでは、全ての居室制御部２０５で居室番号が一致するため、集合玄関機１の玄関操作部１００を使用して設定された管理室親機３の名称、電気錠（図示せず。）の設定等の設定内容を施工業者設定メモリ２０３にそれぞれ記憶することができる。
【００５２】
なお、前述までの説明では、居住者が入れ替わっても変更の必要がない管理室親機３の名称、電気錠（図示せず。）の設定等を行うにあたり使用する機器として、集合玄関機１を使用したが、これに限定されるものではない。例えば、当該集合住宅インターホンシステムの施工業者が施工時に管理室親機３の管理室操作部３００を使用して同様な設定操作を行い、全ての居室親機２ａ、２ｂ、・・・の施工業者設定メモリ２０３に施工業者の設定内容をそれぞれ記憶することができる。
【００５３】
次に、居室親機２ａ、２ｂ、・・・がそれぞれ設置されている複数の住戸のうち、例えば、居室親機２ａが設置されている住戸の居住者は、当該居住者によって容易に変更可能である居室通話部２０２にて入出力される音声（送話音声、受話音声）の音量、防犯設定、留守設定等を行うにあたって、居室親機２ａの居室操作部２００を使用して所定の設定操作を行う。この操作を検出した居室制御部２０５は、居室操作部２００にて行われた設定内容を居室表示部２０１に表示するとともに、居住者設定メモリ２０４に記憶することができる。
【００５４】
なお、前述までの説明では、居住者によって容易に変更可能である居室通話部２０２にて入出力される音声（送話音声、受話音声）の音量、防犯設定、留守設定等を行う機器として、居室親機２ａを使用したが、その他の居室親機２ｂ、・・・がそれぞれ設置されている住戸の居住者が居室操作部２００を使用して同様な設定操作を行い、居住者の設定内容を居住者設定メモリ２０４に記憶することができる。
【００５５】
次に、居室親機２ａ、２ｂ、・・・の施工業者設定メモリ２０３および居住者設定メモリ２０４に前述の設定内容がそれぞれ記憶されている場合において、例えば、居室親機２ａが設置されている住戸の居住者は、施工業者設定メモリ２０３および居住者設定メモリ２０４にそれぞれ記憶されている設定内容を一括で初期化するにあたり、居室操作部２００を使用して所定の初期化起動操作、例えば、一括初期化に割り当てられた暗証番号の入力を行う。この操作が有効であると検出した居室制御部２０５は、例えば、図３（ａ）に示す全設定内容初期化画面（以下、第１の全設定内容初期化画面という。）を居室表示部２０１に表示させることができる。また、居住者が第１の全設定内容初期化画面上の「はい」が選択されるように居室操作部２００を操作すると、この操作を検出した居室制御部２０５は、施工業者設定メモリ２０３および居住者設定メモリ２０４にそれぞれ記憶されている設定内容、すなわち、施工業者の設定内容および居住者の設定内容を一括で容易に初期化することができる。
【００５６】
一方、居室親機２ａが設置されている住戸の居住者が退去して新たな居住者が転居してきた場合等において、この新たな居住者が居住者設定メモリ２０４に記憶されている設定内容のみを初期化するにあたり、居室操作部２００を使用して所定の初期化起動操作、例えば、前述の一括初期化に割り当てられた暗証番号とは異なる番号の入力を行う。この操作が有効であると検出した居室制御部２０５は、例えば、図３（ｂ）に示す居住者設定内容初期化画面（以下、第１の居住者設定内容初期化画面という。）を居室表示部２０１に表示させることができる。また、居住者が第１の居住者設定内容初期化画面上の「はい」が選択されるように居室操作部２００を操作すると、この操作を検出した居室制御部２０５は、施工業者設定メモリ２０３および居住者設定メモリ２０４にそれぞれ記憶されている設定内容のうち、居住者設定メモリ２０４に記憶されている設定内容、すなわち、居住者の設定内容のみを容易に初期化することができる。
【００５７】
なお、前述までの説明では、施工業者設定メモリ２０３および居住者設定メモリ２０４にそれぞれ記憶されている設定内容を一括で容易に初期化する、或いは居住者設定メモリ２０４に記憶されている設定内容のみを容易に初期化する当該居室親機として、居室親機２ａを適用したが、その他の居室親機２ｂ、・・・についても、居室操作部２００、居室表示部２０１および居室制御部２０５を使用して同様な初期化を行うことができる。
【００５８】
次に、居室親機２ａ、２ｂ、・・・の施工業者設定メモリ２０３および居住者設定メモリ２０４に前述の設定内容がそれぞれ記憶されている場合において、管理人は、例えば、居室親機２ａの施工業者設定メモリ２０３および居住者設定メモリ２０４にそれぞれ記憶されている設定内容を一括で初期化するにあたり、管理室親機３の管理室操作部３００を使用して所定の初期化起動操作、例えば、一括初期化に割り当てられた暗証番号の入力を行う。この操作が有効であると検出した管理室制御部３０３は、例えば、図３（ａ）に示す全設定内容初期化画面（以下、第２の全設定内容初期化画面という。）を管理室表示部３０１に表示させることができる。また、管理人が第２の全設定内容初期化画面上の「はい」が選択されるように管理室操作部３００を操作すると、この操作を検出した管理室制御部３０３は、居室親機２ａに割り当てられている居室番号を付加させた全設定内容初期化信号（以下、管理室全設定内容初期化信号という。）を生成する。さらに、管理室制御部３０３にて生成された管理室全設定内容初期化信号は、管理室Ｉ／Ｆ３０４、管理室ラインＬ3、制御機６の管理室側制御機Ｉ／Ｆ６０３、制御機制御部６００、居室側制御機Ｉ／Ｆ６０２、居室ラインＬ2、全ての居室親機２ａ、２ｂ、・・・の居室Ｉ／Ｆ２０６を経由して居室制御部２０５にそれぞれ伝送される。
【００５９】
全ての居室親機２ａ、２ｂ、・・・の居室制御部２０５は、制御機６を経由して管理室親機３から伝送されてきた管理室全設定内容初期化信号に付加されている居室番号と自居室親機に割り当てられている居室番号とをそれぞれ照合し、一致した場合にのみ施工業者設定メモリ２０３および居住者設定メモリ２０４にそれぞれ記憶されている設定内容、すなわち、施工業者の設定内容および居住者の設定内容を一括で容易に初期化することができる。ここでは、居室番号が一致する居室親機２ａの施工業者設定メモリ２０３および居住者設定メモリ２０４にそれぞれ記憶されている設定内容を一括で容易に初期化することができる。
【００６０】
一方、居室親機２ａが設置されている住戸の居住者が退去して新たな居住者が転居してきた場合等において、管理人は、居室親機２ａの居住者設定メモリ２０４に記憶されている設定内容のみを初期化するにあたり、管理室親機３の管理室操作部３００を使用して所定の初期化起動操作、例えば、前述の一括初期化に割り当てられた暗証番号とは異なる番号の入力を行う。この操作が有効であると検出した管理室制御部３０３は、例えば、図３（ｂ）に示す居住者設定内容初期化画面（以下、第２の居住者設定内容初期化画面という。）を管理室表示部３０１に表示させることができる。また、管理人が第２の居住者設定内容初期化画面上の「はい」が選択されるように管理室操作部３００を操作すると、この操作を検出した管理室制御部３０３は、居室親機２ａに割り当てられている居室番号を付加させた居住者設定内容初期化信号（以下、管理室居住者設定内容初期化信号という。）を生成する。さらに、管理室制御部３０３にて生成された管理室居住者設定内容初期化信号は、前述の管理室全設定内容初期化信号と同一の信号／データ伝送路を経由して全ての居室親機２ａ、２ｂ、・・・の居室制御部２０５にそれぞれ伝送される。
【００６１】
全ての居室親機２ａ、２ｂ、・・・の居室制御部２０５は、制御機６を経由して管理室親機３から伝送されてきた管理室居住者設定内容初期化信号に付加されている居室番号と自居室親機に割り当てられている居室番号とをそれぞれ照合し、一致した場合にのみ施工業者設定メモリ２０３および居住者設定メモリ２０４にそれぞれ記憶されている設定内容のうち、居住者設定メモリ２０４に記憶されている設定内容、すなわち、居住者の設定内容のみを容易に初期化することができる。ここでは、居室番号が一致する居室親機２ａの居住者設定メモリ２０４に記憶されている設定内容のみを容易に初期化することができる。
【００６２】
なお、前述までの説明では、施工業者設定メモリ２０３および居住者設定メモリ２０４にそれぞれ記憶されている設定内容を一括で容易に初期化する、或いは居住者設定メモリ２０４に記憶されている設定内容のみを容易に初期化する当該居室親機として、居室親機２ａを適用したが、その他の居室親機２ｂ、・・・についても、管理室親機３の管理室操作部３００、管理室表示部３０１および管理室制御部３０３を使用して同様な初期化を行うことができるばかりでなく、管理室操作部３００を使用して入力される居室番号を（一度に）少なくとも２つ以上入力することにより、入力された居室番号と一致する少なくとも２台以上の当該居室親機の施工業者設定メモリ２０３および居住者設定メモリ２０４にそれぞれ記憶されている設定内容を一括で容易に初期化する、或いは居住者設定メモリ２０４に記憶されている設定内容のみを容易に初期化することができる。
【００６３】
次に、居室親機２ａ、２ｂ、・・・の施工業者設定メモリ２０３および居住者設定メモリ２０４に前述の設定内容がそれぞれ記憶されている場合において、施工業者は、例えば、居室親機２ａの施工業者設定メモリ２０３および居住者設定メモリ２０４にそれぞれ記憶されている設定内容を一括で初期化するにあたり、集合玄関機１の玄関操作部１００を使用して所定の初期化起動操作、例えば、一括初期化に割り当てられた暗証番号の入力を行う。この操作が有効であると検出した玄関制御部１０３は、例えば、図３（ａ）に示す全設定内容初期化画面（以下、第３の全設定内容初期化画面という。）を玄関表示部１０１に表示させることができる。また、施工業者が第３の全設定内容初期化画面上の「はい」が選択されるように玄関操作部１００を操作すると、この操作を検出した玄関制御部１０３は、居室親機２ａに割り当てられている居室番号を付加させた全設定内容初期化信号（以下、玄関全設定内容初期化信号という。）を生成する。さらに、玄関制御部１０３にて生成された玄関全設定内容初期化信号は、玄関Ｉ／Ｆ１０４、玄関ラインＬ1、制御機６の玄関側制御機Ｉ／Ｆ６０１、制御機制御部６００、居室側制御機Ｉ／Ｆ６０２、居室ラインＬ2、全ての居室親機２ａ、２ｂ、・・・の居室Ｉ／Ｆ２０６を経由して居室制御部２０５にそれぞれ伝送される。
【００６４】
全ての居室親機２ａ、２ｂ、・・・の居室制御部２０５は、制御機６を経由して集合玄関機１から伝送されてきた玄関全設定内容初期化信号に付加されている居室番号と自居室親機に割り当てられている居室番号とをそれぞれ照合し、一致した場合にのみ施工業者設定メモリ２０３および居住者設定メモリ２０４にそれぞれ記憶されている設定内容を一括で容易に初期化することができる。ここでは、居室番号が一致する居室親機２ａの施工業者設定メモリ２０３および居住者設定メモリ２０４にそれぞれ記憶されている設定内容を一括で容易に初期化することができる。
【００６５】
一方、居室親機２ａが設置されている住戸の居住者が退去して新たな居住者が転居してきた場合等において、施工業者は、居室親機２ａの居住者設定メモリ２０４に記憶されている設定内容のみを初期化するにあたり、集合玄関機１の玄関操作部１００を使用して所定の初期化起動操作、例えば、前述の一括初期化に割り当てられた暗証番号とは異なる番号の入力を行う。この操作が有効であると検出した玄関制御部１０３は、例えば、図３（ｂ）に示す居住者設定内容初期化画面（以下、第３の居住者設定内容初期化画面という。）を玄関表示部１０１に表示させることができる。また、施工業者が第３の居住者設定内容初期化画面上の「はい」が選択されるように玄関操作部１００を操作すると、この操作を検出した玄関制御部１０３は、居室親機２ａに割り当てられている居室番号を付加させた居住者設定内容初期化信号（以下、玄関居住者設定内容初期化信号という。）を生成する。さらに、玄関制御部１０３にて生成された玄関居住者設定内容初期化信号は、前述の玄関全設定内容初期化信号と同一の信号／データ伝送路を経由して全ての居室親機２ａ、２ｂ、・・・の居室制御部２０５にそれぞれ伝送される。
【００６６】
全ての居室親機２ａ、２ｂ、・・・の居室制御部２０５は、制御機６を経由して集合玄関機１から伝送されてきた玄関居住者設定内容初期化信号に付加されている居室番号と自居室親機に割り当てられている居室番号とをそれぞれ照合し、一致した場合にのみ施工業者設定メモリ２０３および居住者設定メモリ２０４にそれぞれ記憶されている設定内容のうち、居住者設定メモリ２０４に記憶されている設定内容、すなわち、居住者の設定内容のみを容易に初期化することができる。ここでは、居室番号が一致する居室親機２ａの居住者設定メモリ２０４に記憶されている設定内容のみを容易に初期化することができる。
【００６７】
なお、前述までの説明では、施工業者設定メモリ２０３および居住者設定モリ２０４にそれぞれ記憶されている設定内容を一括で容易に初期化する、或いは居住者設定メモリ２０４に記憶されている設定内容のみを容易に初期化する当該居室親機として、居室親機２ａを適用したが、その他の居室親機２ｂ、・・・についても、集合玄関機１の玄関操作部１００、玄関表示部１０１および玄関制御部１０３を使用して同様な初期化を行うことができるばかりでなく、玄関操作部１００を使用して入力される居室番号を（一度に）少なくとも２つ以上入力することにより、入力された居室番号と一致する少なくとも２台以上の当該居室親機の施工業者設定メモリ２０３および居住者設定メモリ２０４にそれぞれ記憶されている設定内容を一括で容易に初期化する、或いは居住者設定メモリ２０４に記憶されている設定内容のみを容易に初期化することができる。
【００６８】
次に、居室親機２ａ、２ｂ、・・・の施工業者設定メモリ２０３および居住者設定メモリ２０４に前述の設定内容がそれぞれ記憶されている場合において、施工業者が、例えば、居室親機２ａの施工業者設定メモリ２０３および居住者設定メモリ２０４にそれぞれ記憶されている設定内容を一括で初期化するにあたり、外部機器４を使用して所定の初期化起動操作、例えば、一括初期化のための暗証番号および居室親機２ａに割り当てられている居室番号の入力を行うと、この操作が有効であると検出した外部機器４は、居室番号を付加させた全設定内容初期化信号（以下、外部全設定内容初期化信号という。）を生成する。また、外部機器４にて生成された外部全設定内容初期化信号は、外部ネットワーク５、制御機６の外部側制御機Ｉ／Ｆ６０４を経由して制御機制御部６００に伝送される。
【００６９】
制御機６の制御機制御部６００は、外部機器４から伝送されてきた外部全設定内容初期化信号を受信し、この外部全設定内容初期化信号を、居室側制御機Ｉ／Ｆ６０２、居室ラインＬ2、全ての居室親機２ａ、２ｂ、・・・の居室Ｉ／Ｆ２０６を経由して居室制御部２０５にそれぞれ送出（転送）する。
【００７０】
全ての居室親機２ａ、２ｂ、・・・の居室制御部２０５は、制御機６を経由して外部機器４から伝送されてきた第１の外部全設定内容初期化信号に付加されている居室番号と自居室親機に割り当てられている居室番号とをそれぞれ照合し、一致した場合にのみ施工業者設定メモリ２０３および居住者設定メモリ２０４にそれぞれ記憶されている設定内容を一括で容易に初期化することができる。ここでは、居室番号が一致する居室親機２ａの施工業者設定メモリ２０３および居住者設定メモリ２０４にそれぞれ記憶されている設定内容を一括で容易に初期化することができる。
【００７１】
一方、居室親機２ａが設置されている住戸の居住者が退去して新たな居住者が転居してきた場合等において、施工業者は、居室親機２ａの居住者設定メモリ２０４に記憶されている設定内容のみを初期化するにあたり、外部機器４を使用して所定の初期化起動操作、例えば、前述の一括初期化のための暗証番号とは異なる番号および居室親機２ａに割り当てられている居室番号の入力を行うと、この操作が有効であると検出した外部機器４は、居室番号を付加させた居住者設定内容初期化信号（以下、外部居住者設定内容初期化信号という。）を生成する。また、外部機器４にて生成された外部居住者設定内容初期化信号は、前述の外部全設定内容初期化信号と同一の信号／データ伝送路を経由して全ての居室親機２ａ、２ｂ、・・・の居室制御部２０５にそれぞれ伝送される。
【００７２】
全ての居室親機２ａ、２ｂ、・・・の居室制御部２０５は、制御機６を経由して外部機器４から伝送されてきた外部居住者設定内容初期化信号に付加されている居室番号と自居室親機に割り当てられている居室番号とをそれぞれ照合し、一致した場合にのみ施工業者設定メモリ２０３および居住者設定メモリ２０４にそれぞれ記憶されている設定内容のうち、居住者設定メモリ２０４に記憶されている設定内容、すなわち、居住者の設定内容のみを容易に初期化することができる。ここでは、居室番号が一致する居室親機２ａの居住者設定メモリ２０４に記憶されている設定内容のみを容易に初期化することができる。
【００７３】
なお、前述までの説明では、施工業者設定メモリ２０３および居住者設定モリ２０４にそれぞれ記憶されている設定内容を一括で容易に初期化する、或いは居住者設定メモリ２０４に記憶されている設定内容のみを容易に初期化する当該居室親機として、居室親機２ａを適用したが、その他の居室親機２ｂ、・・・についても、外部ネットワーク５を経由して制御機６に接続される外部機器４を使用して同様な初期化を行うことができるばかりでなく、外部機器４を使用して入力される居室番号を（一度に）少なくとも２つ以上入力することにより、入力された居室番号と一致する少なくとも２台以上の当該居室親機の施工業者設定メモリ２０３および居住者設定メモリ２０４にそれぞれ記憶されている設定内容を一括で容易に初期化する、或いは居住者設定メモリ２０４に記憶されている設定内容のみを容易に初期化することができる。
【００７４】
また、本発明の実施例によれば、施工業者設定メモリ２０３および居住者設定メモリ２０４を、居室親機２ａ、２ｂ、・・・にそれぞれ備えた場合について説明したが、この態様に限定されるものではない。例えば、居室親機２ａ、２ｂ、・・・に代わって制御機６に備えた場合であっても同様な効果を奏する。
【００７５】
本発明の集合住宅インターホンシステムにおいては、特定の実施の形態をもって説明してきたが、この形態に限定されるものでなく、本発明の効果を奏する限り、これまで知られた如何なる構成の集合住宅インターホンシステムであっても採用できるということはいうまでもないことである。
【図面の簡単な説明】
【００７６】
【図１】図１は、本発明の実施例による集合住宅インターホンシステムの全体構成を示すシステム説明図である。
【図２】図２は、本発明の実施例による集合住宅インターホンシステムの具体的な構成を示すブロック図である。
【図３】図３（ａ）は、本発明の実施例による集合住宅インターホンシステムにおいて、居室親機の居室表示部、管理室親機の管理室表示部および集合玄関機の玄関表示部にそれぞれ表示される第１乃至第３の全設定内容初期化画面の一構成例を示す説明図であり、図３（ｂ）は、同様に表示される第１乃至第３の居住者設定内容初期化画面の一構成例を示す説明図である。
【符号の説明】
【００７７】
１……集合玄関機
１００……玄関操作部（全設定内容初期化機能、居住者設定内容初期化機能）
１０１……玄関表示部（全設定内容初期化機能、居住者設定内容初期化機能）
１０３……玄関制御部（全設定内容初期化機能、居住者設定内容初期化機能）
２ａ、２ｂ、・・・ ……居室親機
２００……居室操作部（全設定内容初期化機能、居住者設定内容初期化機能）
２０１……居室表示部（全設定内容初期化機能、居住者設定内容初期化機能）
２０３……施工業者設定メモリ
２０４……居住者設定メモリ
２０５……居室制御部（全設定内容初期化機能、居住者設定内容初期化機能）
３……管理室親機
３００……管理室操作部（全設定内容初期化機能、居住者設定内容初期化機能）
３０１……管理室表示部（全設定内容初期化機能、居住者設定内容初期化機能）
３０３……管理室制御部（全設定内容初期化機能、居住者設定内容初期化機能）
４……外部機器
５……外部ネットワーク
６……制御機
６００……制御機制御部（全設定内容初期化機能、居住者設定内容初期化機能）
【図１】
0004723371.tif 000002
【図２】
0004723371.tif 000003
【図３】
0004723371.tif 000004